(57)【要約】【課題】外部から表面を押圧しても表示画質の低下が生じ難く、広視野角が達成できるＭＶＡ方式の透過型ないし半透過型の液晶表示パネルを提供すること。【解決手段】本発明のＭＶＡ方式の液晶表示パネル１０Ａは、マトリクス状に配置された各画素に形成された画素電極１９を備えるアレイ基板ＡＲと、前記各画素に対応する位置に液晶分子の傾斜を規制する少なくとも一つの突起３１が形成されたカラーフィルタ基板ＣＦと、両基板上にそれぞれ積層された垂直配向膜と、両基板間に配置された誘電率異方性が負の液晶層と、を有し、前記画素電極１９は幅の狭い連結部３４によって複数の領域１９ａ、１９ｂに区画されており、前記画素電極の複数の領域の一つは透過部１６とされ、前記突起３１の一方側の先端部３１'は平面視において前記連結部３４上に位置するようにする。【選択図】  図１
2008203391.tif 000002
【特許請求の範囲】
【請求項１】
マトリクス状に形成された走査線及び信号線で囲まれたそれぞれの画素領域に画素電極
を備える第１基板と、
共通電極を備えるとともに、前記それぞれの画素領域に対応する位置に前記信号線と平
行に延びる液晶分子の傾斜を規制するための少なくとも一つの配向規制手段が形成された
第２基板と、
前記第１及び第２基板のそれぞれ対向する面に積層された垂直配向膜と、
前記第１及び第２基板間に配置された誘電率異方性が負の液晶層と、
を有する液晶表示パネルにおいて、
前記画素電極は両側の前記信号線側から延びるスリットによって形成された幅の狭い連
結部によって複数の領域に区画されており、
前記画素電極の複数の領域の少なくとも一つは透過部とされ、
前記配向規制手段は、前記透過部の領域内に形成されるとともに、前記配向規制手段の
前記連結部側の先端部が平面視において前記連結部上に位置するように設けられているこ
とを特徴とする液晶表示パネル。
【請求項２】
前記配向規制手段は前記配向規制手段の中心が平面視で前記透過部の画素電極の中心か
ら前記連結部側にずれた位置となるように形成されていることを特徴とする請求項１に記
載の液晶表示パネル。
【請求項３】
前記透過部の画素電極は前記連結部に沿って前記スリットに連なる切り込みが設けられ
ていることを特徴とする請求項２に記載の液晶表示パネル。
【請求項４】
前記配向規制手段は、前記配向規制手段の中心が平面視で前記透過部の画素電極の中心
と同一位置となるように形成され、前記透過部の画素電極は前記連結部に沿って前記スリ
ットに連なる切り込みが設けられていることを特徴とする請求項１に記載の液晶表示パネ
ル。
【請求項５】
前記配向規制手段は、前記共通電極上に形成された突起又は前記共通電極に形成された
スリットからなることを特徴とする請求項１に記載の液晶表示パネル。
【請求項６】
前記配向規制手段は、平面視でバー状、長円形状又は十字状の形状をしていることを特
徴とする請求項５に記載の液晶表示パネル。
【請求項７】
前記画素電極の複数の領域の少なくとも他の一つは、前記画素電極の下部又は表面に反
射膜が形成された反射部とされていることを特徴とする請求項１〜６のいずれかに記載の
液晶表示パネル。
【発明の詳細な説明】
【技術分野】
【０００１】
本発明は、液晶表示パネルに関し、特に外部から表面を押圧しても表示画質の低下が生
じ難く、広視野角が達成できるＭＶＡ(Multi-domain Vertically Aligned)方式の透過型
ないし半透過型の液晶表示パネルに関する。
【背景技術】
【０００２】
携帯電話等に代表されるモバイル機器における小型の表示部には、その使用者が限定さ
れていること等から、液晶表示パネルに対する広視野角の要求は従来さほど高くはなかっ
た。しかしながら、近年のますます高機能化するモバイル機器においても、表示部におけ
る液晶表示パネルの広視野角の要求が急激に高まってきている。このようなモバイル機器
に対する広視野角化の要求に基づき、従来から多用されていたＴＮ方式の液晶表示パネル
に換えて、ＭＶＡ方式の透過型液晶表示パネルや半透過型液晶表示パネルの開発も最近で
は進められてきている（下記特許文献１、２参照）。
【０００３】
このＭＶＡ方式の液晶表示パネルは、アレイ基板側の画素電極が両側の信号線側から延
びるスリットによって形成された幅の狭い連結部によって複数の領域に区画され、少なく
とも透過部に対応するカラーフィルタ基板側に突起ないしスリットからなる配向規制手段
が設けられている。このような形式のＭＶＡ方式の液晶表示パネルは、画素電極のスリッ
ト及びカラーフィルタ側に形成された配向規制手段により、液晶分子が配向規制手段の周
囲全体に亘って傾くように配向規制されているため、視野角が非常に広くなるという特性
を備えている。
【特許文献１】特開２００６−１８４３３４号公報
【特許文献２】特開２００４−０６９７６７号公報
【発明の開示】
【発明が解決しようとする課題】
【０００４】
しかしながら、上述のＭＶＡ方式の半透過型液晶表示パネルにおいて、カラーフィルタ
基板側から例えば指やペンで押圧すると、この押圧箇所の近傍において液晶分子の配向異
常が生じ、表示画質が低下する現象が認められた。この現象を図８を用いて説明する。
【０００５】
なお、図８は十字状の突起からなる配向手段を有する半透過型液晶表示装置において、
無押圧時及び押圧時の数画素分の透過部の発光状態を示す図であり、図８（ａ）は無押圧
の場合、図８（ｂ）は押圧の場合を示す。また、図８（ａ）及び図８（ｂ）においては下
部の暗い部分は反射部に対応する。
【０００６】
図８（ａ）に示すように、カラーフィルタ基板を外部から押圧しないときには、各画素
は正常に表示されている。しかしながら、カラーフィルタ基板を外部から押圧すると、図
８（ｂ）に示すように、透過部と反射部の境界近傍で液晶分子の異常配向が生じているこ
とが認められる。このカラーフィルタ基板ＣＦを外部から押圧した時の液晶分子の異常配
向は、この押圧を取り去った後に一旦黒表示とすると消失するが、カラーフィルタ基板Ｃ
Ｆの押圧時における表示画質の低下は観察者に対して違和感を与えるため、このような現
象を抑制することが望まれる。
【０００７】
発明者等は、上述のような現象が生じる原因につき種々検討を重ねた結果、以下のよう
な原因によるものであることを知見した。すなわち、従来のＭＶＡ方式の液晶表示パネル
においては、突起やスリット等の配向規制手段による液晶分子の配向規制は可能な限り等
方的に生じるようにしている。そのため、例えば図９に示したように、カラーフィルタ基
板側に形成する配向規制手段５１は、その形状の如何に拘わらず、配向規制手段５１の中
心（重心ともいう）Ｘが平面視で透過部５２の画素電極５３の中心Ｙとほぼ一致する位置
に形成されている。なお、図９は従来例の半透過型液晶表示パネル５０の１サブ画素分の
概略平面図である。
【０００８】
しかしながら、透過部５２の画素電極５３はこの画素電極５３に設けられたスリット５
４によって形成された幅の狭い連結部５５を介して反射部５６の画素電極５７と電気的に
接続されている。そのため、液晶分子はこのスリット５４によっても配向規制されるので
、連結部５５の部分における液晶分子の配向状態はその近傍の透過部５２の画素電極５６
上の液晶分子の配向状態とは異なっている。
【０００９】
従って、平面視における連結部５５と配向規制手段５１の先端部５１'との間の領域Ｚ
部分においては液晶分子の配向状態が不安定となってしまう。それ故に、外部からカラー
フィルタ基板を押圧すると、この領域Ｚ部分で液晶分子の配向方向が変化し、上述のよう
な異常配向となって現れ、表示画質の低下に繋がっているものと認められる。
【００１０】
本発明は、上述のような従来技術の問題点を解決すべくなされたものであって、その目
的は、外部からカラーフィルタ基板の表面を押圧しても表示画質の低下が生じ難く、広視
野角が達成できるＭＶＡ方式の透過型ないし半透過型の液晶表示パネルを提供することに
ある。
【課題を解決するための手段】
【００１１】
上記課題を解決するため、本発明の液晶表示パネルは、
マトリクス状に形成された走査線及び信号線で囲まれたそれぞれの画素領域に画素電極
を備える第１基板と、
共通電極を備えるとともに、前記それぞれの画素領域に対応する位置に前記信号線と平
行に延びる液晶分子の傾斜を規制するための少なくとも一つの配向規制手段が形成された
第２基板と、
前記第１及び第２基板のそれぞれ対向する面に積層された垂直配向膜と、前記第１及び
第２基板間に配置された誘電率異方性が負の液晶層と、
を有する液晶表示パネルにおいて、
前記画素電極は両側の前記信号線側から延びるスリットによって形成された幅の狭い連
結部によって複数の領域に区画されており、
前記画素電極の複数の領域の少なくとも一つは透過部とされ、
前記配向規制手段は、前記透過部の領域内に形成されるとともに、前記配向規制手段の
前記連結部側の先端部が平面視において前記連結部上に位置するように設けられているこ
とを特徴とする。
【００１２】
係る態様の液晶表示パネルによれば、配向規制手段の先端部が平面視で連結部上に位置
しているため、配向規制手段の先端部と連結部との間の距離が短くなっている。そのため
、透過部の画素電極と連結部との接続部近傍の液晶分子は、配向規制手段による配向規制
を強く受けるので、カラーフィルタ基板が外部から押圧されても異常配向が起こり難くな
り、表示画質の低下が生じ難く、広視野角が達成できるＭＶＡ方式の液晶表示パネルが得
られる。
【００１３】
また、本発明の液晶表示パネルにおいては、前記配向規制手段は前記配向規制手段の中
心が平面視で前記透過部の画素電極の中心から前記連結部側にずれた位置となるように形
成されていることが好ましい。
【００１４】
係る態様の液晶表示パネルによれば、配向規制手段の形や大きさを従来から使用されて
いるものと変えることなく容易に配向規制手段の先端部の形成位置を平面視で連結部上に
位置することができるようになる。
【００１５】
また、本発明の液晶表示パネルにおいては、前記透過部の画素電極は前記連結部に沿っ
て前記スリットに連なる切り込みが設けられていることが好ましい。
【００１６】
係る態様の液晶表示パネルによれば、透過部の画素電極と連結部との接続位置が透過部
の画素電極側へ入り込んだ状態となるとともに、平面視で配向規制手段が連結部上に位置
している部分を長くすることができる。従って、特に液晶分子の異常配向が生じやすい透
過部の画素電極と連結部との接続部近傍の液晶分子は、配向規制手段による配向規制をよ
り強く受けるので、カラーフィルタ基板が外部から押圧されてもより異常配向が起こり難
くなる。
【００１７】
また、本発明の液晶表示パネルにおいては、前記配向規制手段は、前記配向規制手段の
中心が平面視で前記透過部の画素電極の中心と同一位置となるように形成され、前記透過
部の画素電極は前記連結部に沿って前記スリットに連なる切り込みが設けられていること
が好ましい。
【００１８】
係る態様の液晶表示パネルによれば、配向規制手段の形状、大きさ及び形成位置を従来
例のものと同様としても、配向規制手段の連結部側の先端部を平面視において前記連結部
上に位置するようにすることができるので、容易に上記効果を奏する液晶表示パネルが得
られる。
【００１９】
また、本発明の液晶表示パネルにおいては、前記配向規制手段は、前記共通電極上に形
成された突起又は前記共通電極に形成されたスリットからなることが好ましい。
【００２０】
配向規制手段として共通電極上に形成された突起及び前記共通電極に形成されたスリッ
トは従来から普通に使用されているものである。本発明の液晶表示パネルにおいては、こ
のような従来から普通に使用されている配向規制手段を使用しても、上記効果を奏する液
晶表示パネルが得られる。
【００２１】
また、本発明の液晶表示パネルにおいては、前記配向規制手段は、平面視でバー状、長
円形状又は十字状の形状をしていることが好ましい。
【００２２】
本発明の液晶表示パネルにおいては、配向規制手段の連結部側の先端部が平面視におい
て前記連結部上に位置していれば所定の作用・効果を奏するため、配向規制手段の形状が
平面視でバー状、長円形状又は十字状の形状であれば特に本発明の効果が良好に奏される
ようになる。
【００２３】
また、本発明の液晶表示パネルにおいては、前記画素電極の複数の領域の少なくとも他
の一つは、前記画素電極の下部又は表面に反射膜が形成された反射部とされていることが
好ましい。
【００２４】
係る態様の液晶表示パネルによれば、画素電極の複数の領域の少なくとも他の一つを前
記画素電極の下部又は表面に反射膜が形成された反射部としたため、上記効果を奏する半
透過型液晶表示パネルが得られる。
【発明を実施するための最良の形態】
【００２５】
以下、本発明を実施するための最良の形態を実施例及び図面を用いてより具体的に説明
する。なお、以下に示す各実施例は、本発明の技術思想を具体化するための半透過型ない
し透過型液晶表示パネルを示すものであるが、本発明をここに記載したものに限定するこ
とを意図するものではない。本発明は特許請求の範囲に示した技術思想を逸脱することな
く種々の変更を行ったものにも均しく適用し得るものである。
【実施例１】
【００２６】
実施例１に係る半透過型液晶表示パネルを図１及び図２を用いて説明する。なお、図１
は実施例１の半透過型液晶表示パネル１０Ａの１サブ画素部分をカラーフィルタを透視し
て表した概略平面図であり、図２は図１のＡ−Ａ線に沿った断面図である。
【００２７】
このＭＶＡ方式の半透過型液晶表示パネル１０Ａは、アレイ基板ＡＲのガラス基板等か
らなる透明基板１１の表面にマトリクス状に形成された複数本の走査線１２及び信号線１
３を備えている。これらの複数本の走査線１２間には、走査線１２と平行な複数本の補助
容量線２１と、ソース電極Ｓ、ゲート電極Ｇ、ドレイン電極Ｄ、及び半導体膜２２とから
なるＴＦＴと、走査線１２と信号線１３とで囲まれた領域を覆う画素電極１９と、が設け
られている。ここで、それぞれの走査線１２と信号線１３とで囲まれた領域が１サブ画素
に相当する。
【００２８】
そして、走査線１２、ゲート電極Ｇ、補助容量線２１及び露出している透明基板１１の
表面は第１の絶縁膜（ゲート絶縁膜ともいわれる）１４によって被覆されている。この第
１の絶縁膜１４の表面には、例えばアモルファスシリコン（ａ−Ｓｉ）層とその表面に形
成されたオーミックコンタクト層となるｎ＋ａ−Ｓｉ層とからなる半導体膜２２、ソース
電極Ｓ及びドレイン電極ＤからなるＴＦＴが形成されているとともに、信号線１３も形成
されている。更に、これらの表面全体が第２の絶縁膜（保護絶縁膜ないしパッシベーショ
ン膜ともいわれる）２３によって被覆されている。一方、ドレイン電極Ｄは第１の絶縁膜
１４の表面を補助容量線２１の上部にまで延在されており、このドレイン電極Ｄと補助容
量線２１との間で補助容量が形成されている。
【００２９】
この第２の絶縁膜２３の表面には、反射部１５においては表面に微細な凹凸部が形成さ
れ、透過部１６においては表面が平坦に形成されたフォトレジスト等の有機絶縁膜からな
る層間膜（平坦化膜ともいわれる）１７が形成されている。そして、補助容量線２１上に
位置する第２の絶縁膜２３及び層間膜１７の表面にはコンタクトホール２０が形成され、
このコンタクトホール２０を介して層間膜１７上に形成されたＩＴＯ（Indium Tin Oxide
）やＩＺＯ（Indium Zinc Oxide）等の透明電極からなる画素電極１９がドレイン電極Ｄ
と電気的に接続されている。なお、図１及び図２においては反射部１５の凹凸部は省略し
てある。
【００３０】
この半透過型液晶表示パネル１０Ａにおいては、画素電極１９の反射部１５と透過部１
６の境界領域で液晶分子の配向を規制するために、両側の信号線１３から延びるスリット
３３が設けられている。このスリット３３によって、画素電極１９は実質的に反射部１５
の画素電極１９ａと透過部１６の画素電極１９ｂに分割されており、両方の画素電極１９
ａ及び１９ｂは幅の狭い連結部３４を介して電気的に接続されている。この連結部３４は
隣り合う信号線１３間の略中間に位置している。
【００３１】
反射部１５側においては、層間膜１７の反射板１８が存在する位置の下側に補助容量線
２１が配置されている。また、平面視で、反射板１８及び反射部１５の画素電極１９ａは
、隣接する画素の反射板及び画素電極とは接しないように、走査線１２及び信号線１３と
は部分的に重複するように設けられている。なお、反射板１８と反射部１５の画素電極１
９ａとは互いに重なるように実質的に同じ形状に設けられている。更に、透過部１６側に
おける画素電極１９ｂは、隣接する画素の画素電極及び反射板とは接しないように、かつ
、信号線とは実質的に重複しないように信号線１３に沿うように設けられ、また、走査線
１２とは若干重なるように形成されている。
【００３２】
この実施例１の半透過型液晶表示パネル１０Ａにおいては、透過部１６の画素電極１９
ｂは反射部１５の画素電極１９ａよりも面積が大きくされている。このように透過部１６
の画素電極１９ｂの面積を反射部１５の画素電極１９ａの面積よりも大きくした理由は、
携帯電話機用の半透過型液晶表示パネルは、高精細であってしかも画像表示が多いため、
バックライトを常時点灯して実質的に透過型液晶表示パネルとして使用される機会が多く
なっているためである。そして、画素電極１９の表面をも含み、アレイ基板ＡＲの表面に
は表示領域の全てを覆うように垂直配向膜（図示せず）が積層されている。
【００３３】
カラーフィルタ基板ＣＦはガラス基板等からなる透明基板２５を有する。この透明基板
２５の表示領域上には、それぞれの画素に対応して形成される例えば赤色（Ｒ）、緑色（
Ｇ）、青色（Ｂ）のうち何れか一色からなるストライプ状のカラーフィルタ層２６が設け
られている。更に、反射部１５と透過部１６とで同じ厚さのカラーフィルタ層２６を使用
するため、カラーフィルタ層２６の一部分に所定の厚さのトップコート層２８が設けられ
ている。
【００３４】
このトップコート層２８は、反射部１５全体にわたって設けられており、その厚さは反
射部１５における液晶層２９の厚さ、いわゆるセルギャップｄ１が透過部１６のセルギャ
ップｄ２の半分となるように、すなわちｄ１＝（ｄ２）／２となるようにされている。更
に、カラーフィルタ基板ＣＦの表面には、トップコート層２８の表面及びカラーフィルタ
層２６の表面全体を被覆するように、共通電極２７が設けられている。
【００３５】
透過部１６に位置する共通電極２７の表面の一部には、それぞれ透過部１６の画素電極
１９ｂに対向する位置に、液晶分子の配向を規制するための長十字状の突起３１が設けら
れている。また、反射部１５の共通電極２７の表面のコンタクトホール２０に対向する位
置にも底面が円形状の突起３２が設けられている。そして、これらの共通電極２７、突起
３１及び３２の表面には垂直配向膜（いずれも図示せず）が積層されている。このように
、実施例１の半透過型液晶表示パネル１０Ａにおいては、透過部１６、反射部１５の領域
にそれぞれ別々に形成された突起３１、３２によって、透過部１６、反射部１５のそれぞ
れの領域で液晶層２９の液晶分子の配向が規制されるようになっている。
【００３６】
反射部１５における突起３２をコンタクトホール２０に対向する位置に設けた理由は次
のとおりである。すなわち、反射部に形成されるコンタクトホール２０は、画素電極１９
ａとスイッチング素子であるＴＦＴのドレイン電極Ｄとの電気的導通を確実にとる必要が
あるため、ある程度の大きさ及び深さを有している。更に、このコンタクトホール２０に
は、図２に示されているように、傾斜面が形成されている。このコンタクトホール２０の
傾斜は、その表面に設けられている配向膜（図示せず）によって液晶層２９の液晶分子に
物理的な力を与え、液晶分子を傾斜させてしまう。
【００３７】
特に画素電極１９ａと共通電極２７との間に電界を生じさせて液晶分子を配向させた際
にも、液晶分子はこのコンタクトホール２０の物理的な力による影響を強く受け、希望す
る方向へ傾斜せず、表示に悪影響を与えるために表示品位が低下する。また、コンタクト
ホール２０は、文字通り孔が形成されているため、図示していない配向膜にムラができた
りしている等、コンタクトホール２０の存在に基づく影響で液晶分子の配向が不安定にな
りやすい。
【００３８】
更に、コンタクトホール２０の入口部分では、電界を印加しないときでも液晶分子が斜
めに傾斜するため、この部分での光の遮断が不完全となり、光洩れが発生することがある
。従って、このコンタクトホール２０に対向する位置に突起３２を形成することにより、
コンタクトホール２０の表面と突起３２の表面との間を並行に近くできるため、このよう
なコンタクトホールによる悪影響を可能な限り抑制することができるようになる。
【００３９】
なお、上述のアレイ基板ＡＲ及びカラーフィルタ基板ＣＦは、両基板を互いに対向させ
、両基板の周囲にシール材を設けることにより両基板を貼り合せ、両基板間に負の誘電異
方性を有する液晶を充填することにより実施例１のＭＶＡ方式の半透過型液晶表示パネル
１０Ａとなる。また、アレイ基板ＡＲの下方には、図示しない周知の光源、導光板、拡散
シート等を有するバックライト装置が配置されて液晶表示パネルが完成される。
【００４０】
この実施例１の半透過型液晶表示パネル１０Ａにおいては、透過部１６に設けられてい
る長十字状の突起３１の一方側の先端部３１'を平面視で幅の狭い連結部３４上に位置す
るように設けられている。なお、この突起３１の形状及び大きさは図９に示した従来例の
半透過型液晶表示パネル５０の突起５１と同一である。従って、この突起３１の中心Ｘは
透過部１６の画素電極１９ｂの中心Ｙから連結部３４側に寄せて配置されている。
【００４１】
このような構成とすると、長十字状の突起３１の一方側の先端部３１'と連結部３４と
の間の距離が近くなるため、突起３１の表面に設けられている垂直配向膜がこの連結部３
４の近傍の液晶分子に対して与える物理的な力が大きくなる。そのため、カラーフィルタ
基板ＣＦが外部から押圧されても液晶分子の異常配向が起こり難くなるので、表示画質の
低下が生じ難く、広視野角が達成できるＭＶＡ方式の液晶表示パネルが得られる。
【００４２】
なお、ＭＶＡ方式の半透過型液晶表示パネルにおいては、本来液晶分子に電界が印加さ
れていない状態で垂直に配向されている限りは液晶層２９を光が透過することはない。従
って、画素電極１９に設けられたスリット３３の部分にも垂直配向膜が設けられているの
で、このスリットの部分は光が透過することがないため、この実施例のＭＶＡ方式の半透
過型液晶表示パネル１０Ａとしては、補助容量が大きくなるようにするために、補助容量
線２１を反射板１８の下部から更に透過部１６側のスリット３３側にまで延長してある。
【００４３】
また、この実施例１のＭＶＡ方式の半透過型液晶表示パネル１０Ａにおいては、透過部
１６側における画素電極１９ｂを信号線１３とは実質的に重複しないように信号線１３に
沿うように設けた例を示したが、透過部１６側における画素電極１９ｂを正確に信号線１
３に沿って設けることは技術的に困難であるため、透過部側１６の画素電極１９ｂと信号
線１３との間に僅かな隙間が生じるようにしてもよく、逆にわずかに透過部１６側の画素
電極１９ｂと信号線１３とが重なるようにしてもよい。透過部１６側の画素電極１９ｂと
信号線１３との間に僅かな隙間が生じても、この隙間の部分には垂直配向膜が設けられて
いるため、この隙間の部分から光漏れすることはない。
【実施例２】
【００４４】
カラーフィルタ基板ＣＦの透過部１６側に設ける突起３１の一方側の先端部３１'が多
く平面視で連結部３４上に位置しているほど、カラーフィルタ基板ＣＦが外部から押圧さ
れてもこの先端部３１'近傍での液晶分子の異常配向が起こり難くなる。従って、突起３
１として従来例ものと同一形状かつ同一サイズのものを用いる場合、この突起３１の一方
側の先端部３１'を十分に平面視で連結部３４上に位置するようにするには、突起３１を
連結部３４側へ寄せて配置する必要がある。しかしながら、突起３１を連結部３４側へ寄
せる距離が長くなると、反対側の先端部３１"と走査線１２との間の距離が長くなるので
、平面視で突起３１の反対側の先端部３１"と走査線１２との間に位置する液晶分子の配
向規制が弱くなるので、この部分の視野角が低下してしまう。
【００４５】
そこで、実施例２の液晶表示パネル１０Ｂとしては、透過部１６に設ける突起３１を連
結部３４側へ寄せる距離を長くしなくても、実質的に突起３１の一方側の先端部３１'が
平面視で連結部３４上に位置する部分を大きくなるようにした。この実施例２の半透過型
液晶表示パネル１０Ｂを図３を用いて説明する。なお、図３は実施例２の半透過型液晶表
示パネル１０Ｂの１サブ画素部分をカラーフィルタを透視して表した概略平面図であり、
図１及び図２に記載の半透過型液晶表示パネル１０Ａと同一の構成部分については同一の
参照符号を付与してその詳細な説明は省略する。また、実施例２の半透過型液晶表示パネ
ル１０Ｂのアレイ基板ＡＲの構成は、実施例１の半透過型液晶表示装置１０Ａと同様であ
る。
【００４６】
実施例２の半透過型液晶表示パネル１０Ｂは透過部１６に設けられた突起３１の形状、
大きさ及び形成位置は実施例１の半透過型液晶表示パネル１０Ａのものと同じである。し
かしながら、実施例２の半透過型液晶表示パネル１０Ｂは、透過部１６の画素電極１９ｂ
に連結部３４に沿ってスリット３３に連なる切り込み３７ａを設けた点で、実施例１の半
透過型液晶表示パネル１０Ａと構成が相違している。すなわち、実施例２の半透過型液晶
表示パネル１０Ｂにおいては、透過部１６の画素電極１９ｂと連結部３４との結合部分は
鋭角状態となっている。なお、この透過部１６の画素電極１９ｂと連結部３４との結合部
分は、必ずしも図３に示したような鋭角状態とする必要はなく、曲線状となっていいても
よい。
【００４７】
このように画素電極１９ｂに連結部３４に沿ってスリット３３に連なる切り込み３７ａ
を設けると、突起３１を連結部３４側へ寄せる距離を小さくしても、突起３１の一方側の
先端部３１'を十分に平面視で連結部３４上に位置するようにすることができる。加えて
、突起３１を連結部３４側へ寄せる距離を小さくすることができるから、突起３１の反対
側の先端部３１"と走査線１２との間の距離を短くすることができ、平面視で突起３１の
反対側の先端部３１"と走査線１２との間に位置する液晶分子の配向規制を十分に行うこ
とができる。そのため、実施例２の液晶表示パネル１０Ｂによれば、カラーフィルタ基板
ＣＦが外部から押圧されても連結部３４近傍の液晶分子の異常配向が起こり難くなるとと
もに、突起３１の反対側の先端部３１"と走査線１２との間の視野角の低下を抑制するこ
とができるようになる。
【実施例３】
【００４８】
実施例２の液晶表示パネル１０Ｂとして、透過部１６に設ける突起３１を連結部３４側
へ寄せるとともに、透過部１５の画素電極１９ｂに連結部３４に沿ってスリット３３に連
なる切り込み３７ａを設けた例を示した。しかしながら、スリット３３に連なる切り込み
３７ａの長さを長くすると、透過部１６に設ける突起３１を連結部３４側へ寄せなくても
同様の作用効果を奏させることができる。
【００４９】
そこで、実施例３の液晶表示パネル１０Ｃとしては、透過部１６に設ける突起３１を連
結部３４側へ寄せず、透過部１５の画素電極１９ｂのスリット３３に連なる切り込み３７
ｂの長さを実施例２の切り込み３７ａよりも長くした。この実施例３の半透過型液晶表示
パネル１０Ｃを図４を用いて説明する。なお、図４は実施例３の半透過型液晶表示パネル
１０Ｃの１サブ画素部分をカラーフィルタを透視して表した概略平面図であり、図１及び
図２に記載の半透過型液晶表示パネル１０Ａと同一の構成部分については同一の参照符号
を付与してその詳細な説明は省略する。また、実施例３の半透過型液晶表示パネル１０Ｃ
のアレイ基板ＡＲの構成は、実施例１の半透過型液晶表示装置１０Ａと同様である。
【００５０】
実施例３の半透過型液晶表示パネル１０Ｃは透過部１６に設けられた突起３１の形状、
大きさ及び形成位置は、図９に示した従来例の半透過型液晶表示パネルの場合と同様であ
る。つまり、透過部１６における、配向規制手段である突起３１の中心位置は、透過部１
６に位置する画素電極１９ｂの中心とほぼ一致する位置に形成されている。なお実施例３
においては、画素電極１９ｂの形状が従来例のものと異なるため、透過部１６に位置する
画素電極１９ｂの中心とほぼ一致する位置とは、透過部１６の中心とほぼ一致する位置と
いうことであってもよい。一方、実施例３の半透過型液晶表示パネル１０Ｃは、透過部１
６の画素電極１９ｂに連結部３４に沿ってスリット３３に連なる長い切り込み３７ｂを設
けた点で、実施例２の半透過型液晶表示パネル１０Ｂと構成が相違している。
【００５１】
このように透過部１６の画素電極１９ｂに連結部３４に沿ってスリット３３に連なる長
い切り込み３７ｂを設けると、実質的に連結部３４の長さが長くなった状態となる。その
ため、実施例３の液晶表示パネル１０Ｃでは、突起３１を連結部３４側へ寄せなくても、
突起３１の一方側の先端部３１'を十分に平面視で連結部３４上に位置するようにするこ
とができる。
【００５２】
加えて、突起３１の反対側の先端部３１"と走査線１２との間の距離は、従来例の液晶
表示パネル５０の場合と同様であるから、平面視で突起３１の反対側の先端部３１"と走
査線１２との間に位置する液晶分子の配向規制を十分に行うことができる。したがって、
実施例３の液晶表示パネル１０Ｂによれば、カラーフィルタ基板ＣＦが外部から押圧され
ても連結部３４の近傍の液晶分子の異常配向が起こり難くなるとともに、突起３１の反対
側の先端部３１"と走査線１２との間の視野角を従来例の場合と同様に大きくすることが
できるようになる。
【実施例４】
【００５３】
実施例１〜３の半透過型液晶表示パネル１０Ａ〜１０Ｃとしては、カラーフィルタ基板
ＣＦの透過部に設ける液晶分子の配向規制手段として突起３１を設けた例を示したが、こ
れに限らず、共通電極２７に形成したスリットによっても同様の作用効果を奏させること
ができる。そこで、実施例４の半透過型液晶表示パネル１０Ｄとしては、配向規制手段と
して共通電極２７に長十字状のスリット３８を形成するとともに、この長十字状のスリッ
ト３７の一方側の先端部３７'が平面視で連結部３４上に位置するようにした。
【００５４】
この実施例４の半透過型液晶表示パネル１０Ｄを図５を用いて説明する。なお、図５は
実施例４の半透過型液晶表示パネル１０Ｄの１サブ画素部分をカラーフィルタを透視して
表した概略平面図であり、図１及び図２に記載の半透過型液晶表示パネル１０Ａと同一の
構成部分については同一の参照符号を付与してその詳細な説明は省略する。また、実施例
Ｄの半透過型液晶表示パネル１０Ｃのアレイ基板ＡＲの構成は、実施例１の半透過型液晶
表示装置１０Ａと同様である。
【００５５】
実施例４の半透過型液晶表示パネル１０Ｄは、透過部１６に設けられた配向規制手段と
して突起に変えて共通電極２７に長十字状のスリット３８を形成した以外は実施例１の液
晶表示パネル１０Ａと同一の構成を備えている。すなわち、長十字状のスリット３８は、
カラーフィルタ基板ＣＦの透過部１６に位置する共通電極２７に、スリット３８の中心が
透過部１６の画素電極１９ｂの中心から連結部３４側に寄せた位置に形成されている。そ
して、長十字状のスリット３８の一方側の先端部３８'は平面視で連結部３４上に位置す
るように形成されている。
【００５６】
このような構成の実施例４の半透過型液晶表示パネル１０Ｄによっても、実質的に実施
例１の液晶表示パネル１０Ａと同様の作用効果を奏することができる。更に、配向規制手
段が実施例４の半透過型液晶表示パネル１０Ｄのようにスリットであっても、実施例２〜
３として示した透過部１６の画素電極１９ｂにスリット３３に連なる切り欠き３７ａない
し３７ｂ（図２及び図３参照）を形成する場合にも適用することができる。
【００５７】
なお、実施例１〜４の半透過型液晶表示パネル１０Ａ〜１０Ｄでは、反射部１５の配向
規制手段として突起３２を設けた例を示したが、この突起３２に換えて共通電極２７に設
けたスリットを利用することも可能である。
【実施例５】
【００５８】
実施例１〜４に示した液晶表示パネルは何れも半透過型のものであるが、本発明は透過
型の液晶表示パネルに対しても適用可能である。そこで、実施例５としては、実施例１の
場合と同様に、透過部の突起部の形状が長十字状のものを採用した透過型液晶表示パネル
１０Ｅの例を図６及び図７を用いて説明する。
【００５９】
なお、図６は実施例５の透過型液晶表示パネル１０Ｅの１サブ画素部分をカラーフィル
タを透視して表した概略平面図であり、図７は図６のＢ−Ｂ線に沿った断面図である。な
お、図１及び図２に示した実施例１の半透過型液晶表示パネル１０Ａと同一の構成部分に
ついては同一の参照符号を付与してその詳細な説明は省略する。
【００６０】
実施例５の透過型液晶表示パネル１０Ｅにおいては、画素電極１９は、液晶分子の配向
を規制するためにスリット３３によって、表示領域として機能するバックライトからの光
を透過する画素電極１９ｂ部分と、補助電極１９ｃ部分の複数の領域に分割されており、
画素電極１９ｂ部分と補助電極１９ｃ部分との間は幅の狭い連結部３４を介して電気的に
接続されている。
【００６１】
そして、実施例５の透過型液晶表示パネル１０Ｅの画素電極１９ｂ部分の構成、カラー
フィルタ基板ＣＦに設けられる配向規制手段としての突起３１等の構成及びその配置位置
は、実施例１の半透過型液晶表示パネル１０Ａの透過部１６における構成と実質的に差異
はない。ただ、実施例５の透過型液晶表示パネル１０Ｅは、反射部が存在しないために、
実施例１の液晶表示パネル１０Ａで使用されている反射板１８及び突起３２（図１及び図
２参照）が設けられておらず、また、補助電極１９ｃ部分の占める割合は画素電極１９ｂ
部分が占める割合よりも小さくされ、補助電極１９ｃ部分は主として補助容量線２１との
間での補助容量の形成及びＴＦＴのドレイン電極Ｄとのコンタクトホール２０を介した電
気的接続用として機能する。
【００６２】
この補助電極１９ｃの下部には、光不透過性の補助容量線２１、ドレイン電極Ｄ、ゲー
ト電極Ｇ、ソース電極Ｓ及び半導体膜２２が存在しているために、バックライトからの光
が透過せず、表示領域としては使用し得ない。そのため、補助電極１９ｃの占める面積は
画素電極１９ｂの占める面積よりも相対的に小さくされている。なお、この実施例５の透
過型液晶表示パネル１０Ｅでは、補助電極１９ｃをＴＦＴの表面を除いた位置にのみ設け
たが、このＴＦＴに対向するカラーフィルタ基板ＣＦにはブラックマトリクスを設けるこ
とにより遮光されるため、ＴＦＴの周囲の光が透過する部分の存在によるコントラストの
低下は無視し得る。
【００６３】
そして、この実施例５の液晶表示パネル１０Ｅにおいても、実施例１の半透過型液晶表
示パネル１０Ａの場合と同様に、長十字状の突起３１は連結部３４側に寄せられており、
長十字状の突起３１の一方の端部３１'は平面視で連結部３４上に位置するように設けら
れている。この場合も、突起３１の一方側の先端部３１'と連結部３４との間の距離は実
施例１の場合と同様であるため、カラーフィルタ基板が外部から押圧された場合の効果は
実施例１の液晶表示パネルの場合と同様の効果を達成できる。
【００６４】
さらに、透過型の液晶表示パネルの場合であっても、実施例２〜３として示した透過部
１６の画素電極１９ｂにスリット３３に連なる切り欠き３７ａないし３７ｂ（図２及び図
３参照）を形成した場合にも適用することができる。
【００６５】
なお、実施例１〜５では、透過部に設ける配向規制手段としての突起ないしスリットの
形状として、平面視で底部が長十字状となるものを用いた例を示したが、他にバー状、十
字状、長円形状等信号線と平行に延びる細長い形状部分を有するものとすることも可能で
ある。
【図面の簡単な説明】
【００６６】
【図１】実施例１の半透過型液晶表示パネルの１サブ画素部分をカラーフィルタを透視して表した概略平面図である。
【図２】図１のＡ−Ａ線に沿った断面図である。
【図３】実施例２の半透過型液晶表示パネルの１サブ画素部分をカラーフィルタを透視して表した概略平面図である。
【図４】実施例３の半透過型液晶表示パネルの１サブ画素部分をカラーフィルタを透視して表した概略平面図である。
【図５】実施例４の半透過型液晶表示パネルの１サブ画素部分をカラーフィルタを透視して表した概略平面図である。
【図６】実施例５の透過型液晶表示パネルの１サブ画素部分をカラーフィルタを透視して表した概略平面図である。
【図７】図６のＢ−Ｂ断面図である。
【図８】ＭＶＡ方式の半透過型液晶表示パネルの無押圧時及び押圧時の数画素分の透過部の発光状態を示す図であり、図８（ａ）は無押圧の場合、図８（ｂ）は押圧の場合を示す。
【図９】従来例の液晶表示パネルの突起の中心と透過部の画素電極の中心を説明する概略平面図である。
【符号の説明】
【００６７】
１０Ａ〜１０Ｄ、５０：半透過型液晶表示パネル、１０Ｅ：透過型液晶表示パネル、１１
、２５：透明基板、１２：走査線、１３：信号線、１４：第１の絶縁膜、１５：反射部、
１６：透過部、１７：層間膜、１８：反射板、１９、１９ａ、１９ｂ：画素電極、１９ｃ
：補助電極、２０：コンタクトホール、２１：補助容量線、２３：第２の絶縁膜、２６：
カラーフィルタ層、２７：共通電極、２８：トップコート層、２９：液晶層、３１、３２
：突起、３３：スリット、３４：連結部、３７ａ、３７ｂ：切欠部、３８：スリット、Ｘ
：突起の中心、Ｙ：画素電極の中心
【図１】
2008203391.tif 000003
【図２】
2008203391.tif 000004
【図３】
2008203391.tif 000005
【図４】
2008203391.tif 000006
【図５】
2008203391.tif 000007
【図６】
2008203391.tif 000008
【図７】
2008203391.tif 000009
【図９】
2008203391.tif 000010
【図８】
2008203391.tif 000011